(57)【要約】【課題】異常に対してより適切に保護動作を行うことのできる電力供給回路及び電子機器を提供する。【解決手段】電力供給回路（２０）は、直列に接続された複数の直流電源回路（２１、２２）と、直流電源回路のうちいずれか（２２）の出力側における異常を、当該出力側で異常が生じている直流電源回路（２２）よりも上流側に伝えることで、直流電源回路のうちいずれか（２１）の保護動作を起動させる伝達部（２６）と、を備える。【選択図】図２
2020057185.tif 000002
【特許請求の範囲】
【請求項１】
直列に接続された複数の直流電源回路と、
前記直流電源回路のうちいずれかの出力側における異常を、当該出力側で異常が生じている直流電源回路よりも上流側に伝えることで、前記直流電源回路のうちいずれかの保護動作を起動させる起動部と、
を備えることを特徴とする電力供給回路。
【請求項２】
前記保護動作は、前記複数の直流電源回路のうち一部の第一の電源回路の出力に基づいて起動され、
前記起動部は、前記第一の電源回路よりも後段に位置する第二の電源回路の出力側における異常を前記第一の電源回路に伝える
ことを特徴とする請求項１記載の電力供給回路。
【請求項３】
前記第一の電源回路には、前記複数の直流電源回路のうち最前段のものが含まれることを特徴とする請求項２記載の電力供給回路。
【請求項４】
前記第二の電源回路には、前記複数の直流電源回路のうち最後段のものが含まれることを特徴とする請求項２又は３記載の電力供給回路。
【請求項５】
前記起動部は、前記第二の電源回路に対して並列に設けられていることを特徴とする請求項２〜４のいずれか一項に記載の電力供給回路。
【請求項６】
前記起動部はダイオードであり、当該ダイオードのアノードが前記第一の電源回路の出力端に接続され、カソードが前記第二の電源回路の出力端に接続されていることを特徴とする請求項５記載の電力供給回路。
【請求項７】
前記起動部は、ツェナーダイオードとトランジスタとで構成され、
前記ツェナーダイオードは、カソードが前記第二の電源回路の出力端に接続され、
前記トランジスタは、前記ツェナーダイオードのアノード電圧に応じて前記第一の電源回路の出力端と接地面との間の電流が制限されるように接続されている
ことを特徴とする請求項５記載の電力供給回路。
【請求項８】
前記ツェナーダイオードのアノードと前記トランジスタのベースとが接続され、
前記トランジスタのコレクタと前記第一の電源回路の出力端とが接続され、
当該トランジスタのエミッタが接地されている
ことを特徴とする請求項７記載の電力供給回路。
【請求項９】
前記直流電源回路には、低電圧誤動作防止機能に係る回路を有するＬＤＯが含まれ、
前記起動部はインピーダンス素子であり、
前記インピーダンス素子は、前記ＬＤＯの入力側に前記複数の直流電源回路と直列に接続され、前記ＬＤＯの入出力電流が異常に増大した場合に前記ＬＤＯへの入力電圧を低下させて、前記低電圧誤動作防止機能に係る回路を起動させる
ことを特徴とする請求項１記載の電力供給回路。
【請求項１０】
前記インピーダンス素子は、抵抗素子であることを特徴とする請求項９記載の電力供給回路。
【請求項１１】
請求項１〜１０のいずれか一項に記載の電力供給回路を備える電子機器。
【発明の詳細な説明】
【技術分野】
【０００１】
この発明は、電力供給回路及び電子機器に関する。
【背景技術】
【０００２】
電子機器では、バッテリや外部電源から供給された電力が電力供給回路で適宜な電圧に変換されて必要な電流が各部に出力されている。この電力供給回路において、複数のレギュレータなどの電源回路を直列に設けて所望の電圧を生成する技術がある（例えば、特許文献１）。
【先行技術文献】
【特許文献】
【０００３】
【特許文献１】特開２００６−１２７２５３号公報
【発明の概要】
【発明が解決しようとする課題】
【０００４】
電力供給回路では、異常な電流や電圧が出力されないように出力電流を遮断したり、出力電流を制限して過剰な発熱を防いだりする保護動作に係る回路が設けられているものもあるが、特許文献１のように、複数の電源回路が設けられた回路構成では、いずれかの電源回路やその入出力配線などで異常が生じた場合に、この保護動作に係る回路が動作しない場合があった。
【０００５】
この発明の目的は、異常に対してより適切に保護動作を行うことのできる電力供給回路及び電子機器を提供することにある。
【課題を解決するための手段】
【０００６】
上記目的を達成するため、本発明は、
直列に接続された複数の直流電源回路と、
前記直流電源回路のうちいずれかの出力側における異常を、当該出力側で異常が生じている直流電源回路よりも上流側に伝えることで、前記直流電源回路のうちいずれかの保護動作を起動させる起動部と、
を備えることを特徴とする電力供給回路である。
【発明の効果】
【０００７】
本発明に従うと、異常に対してより適切に保護動作を行うことができるという効果がある。
【図面の簡単な説明】
【０００８】
【図１】電力供給回路を含む電子機器の機能構成を示すブロック図である。
【図２】電力供給回路の構成について説明する図である。
【図３】伝達部の他の例を示す図である。
【図４】電力供給回路の変形例を示す図である。
【発明を実施するための形態】
【０００９】
以下、本発明の実施の形態を図面に基づいて説明する。
図１は、本実施形態の電力供給回路２０を有する電子機器１の機能構成を示すブロック図である。
【００１０】
電子機器１は、電力供給アダプタ１０と、電力供給回路２０と、機能動作部３０などを備える。電力供給アダプタ１０は、外部電源から入力された交流電流を直流の所定電圧に変換して出力する。携帯型電子機器などでバッテリにより駆動する場合には、当該電力供給アダプタを介さずにバッテリから電力供給回路２０に当該バッテリの出力電圧で直流電流が供給されてもよい。バッテリは着脱可能であってもよく、また、電力供給アダプタから供給される電力により充電可能であってもよい。
【００１１】
機能動作部３０は、電子機器１の各機能に係る動作を行う。機能動作部３０としては、例えば、ＣＰＵやＲＡＭを含む制御部、表示動作を行う表示部、音声などを出力する音声出力部、外部からの入力操作を受け付ける操作受付部、各種物理量を計測する計測部、他の電子機器との通信を制御する通信部の一部又は全部が含まれていてもよい。
【００１２】
電力供給回路２０は、電力供給アダプタ１０やバッテリから供給された電圧を機能動作部３０に適合した電圧に変換して出力する。
【００１３】
図２は、電力供給回路２０の構成について説明する図である。
【００１４】
図２（ａ）に示すように、本実施形態の電力供給回路２０では、複数、ここでは２個の直流電源回路が直列に接続されて配置されている。直列に配置されている第一電源回路２１（第一の電源回路）及び第二電源回路２２（第二の電源回路）は、それぞれ入力電圧を変更して出力する降圧回路や昇圧回路である。電力供給アダプタ１０やバッテリからの電力が入力電圧Ｖｉｎで第一電源回路２１に入力されて、その出力電力が当該第一電源回路２１よりも後段に位置する第二電源回路２２に送られる。第二電源回路２２の出力電圧が機能動作部３０への出力電圧Ｖｏｕｔとなる。
【００１５】
第一電源回路２１は、保護回路２５を有している。保護回路２５は、第一電源回路２１の出力側における電圧や電流を検出し、これら出力電流や出力電圧に基づいて、第一電源回路２１の電力出力を遮断（又は発熱などが十分に抑制されるレベルに制限。以下同様）する保護動作が起動される。出力電流や出力電圧の異常には、第一電源回路２１が生成する電流電圧の異常だけでなく、出力端が接続された外部の異常、主に短絡も含まれる。また、入力電圧Ｖｉｎに異常がある場合には、出力電圧又は出力電流にも異常が生じるので、この保護回路２５により電力供給回路２０からの出力が遮断される。
【００１６】
伝達部２６（起動部）は、第二電源回路２２に対して並列に設けられている。第二電源回路２２自体は、完全な保護回路を有していない。伝達部２６は、第二電源回路２２の出力に異常が生じた場合にその状態を第二電源回路２２の入力側、すなわち、第一電源回路２１の出力に伝えることで、保護回路２５を起動させる。
【００１７】
図２（ｂ）は、電力供給回路２０の具体例である。
第一電源回路２１として降圧回路２１１が設けられ、第二電源回路２２として、小幅（小電位差）な降圧のためのＬＤＯ２２１（Low Dropout）が設けられている。伝達部２６としては、ダイオード２６１が用いられている。ダイオード２６１は、アノードが降圧回路２１１の出力端（ＬＤＯ２２１の入力側）に接続され、カソードがＬＤＯ２２１の出力端に接続されている。ダイオード２６１は、その動作電圧がＬＤＯ２２１の降下電圧よりも大きいものが用いられる。これにより、ＬＤＯ２２１から機能動作部３０に対して正常に電力が出力されている場合には、ダイオード２６１には電流が流れず、動作しない。なお、ＬＤＯ２２１の出力電圧は、出力電流に依存するが、ＬＤＯ２２１の入出力電圧差と降下電圧との関係を適切に定めておくことで、機能動作部３０の負荷が急激に増大するように動作して、一時的な電圧低下が生じた場合に、一時的にダイオード２６１から電力供給が可能になる。これにより、正常な動作範囲内での大電流によるＬＤＯ２２１の電圧低下も適宜な範囲に抑制される。
【００１８】
ＬＤＯ２２１から機能動作部３０への電力出力時に短絡側で短絡が生じ、出力電圧Ｖｏｕｔが接地電圧などに低下した場合、当初、ＬＤＯ２２１の上端側の電圧は、大きく低下しないので、ＬＤＯ２２１の入出力電圧差がダイオード２６１の動作電圧より大きくなる。これにより、電流がダイオード２６１を経て流れ、この電流によって降圧回路２１１の出力電圧が低下する。このようにＬＤＯ２２１の上流側に伝えられた電圧低下が保護回路２５に検出されることで保護回路２５が動作し、降圧回路２１１、すなわち、電力供給回路２０への電力供給が遮断される。
【００１９】
図２（ｃ）は、電力供給回路２０の他の具体例である。
ここでは、第二電源回路２２として昇圧回路２２２が設けられている。第一電源回路２１は、特には限られないが、例えば、昇圧回路である。
【００２０】
伝達部２６は、ツェナーダイオード２６２と、トランジスタ２６３とを有する。トランジスタ２６３は、バイポーラトランジスタであり、そのコレクタが第一電源回路２１の出力端（昇圧回路２２２の入力側）に接続され、エミッタが接地されている。ツェナーダイオード２６２のカソードが昇圧回路２２２の出力端に接続され、アノードがトランジスタ２６３のベースと接続されている。
【００２１】
ここでは、ツェナーダイオード２６２は、降伏電圧が昇圧回路２２２の正常な出力電圧Ｖｏｕｔよりも大きいものが用いられる。したがって、昇圧回路２２２が正常に動作している場合には、ツェナーダイオード２６２のカソードからアノードに電流が流れず、これに応じてトランジスタ２６３のベース電流も流れない。昇圧回路２２２が異常動作して出力電圧Ｖｏｕｔが上昇し過ぎると、ツェナーダイオード２６２の降伏電圧を超えて、ツェナーダイオード２６２のカソードからアノードを経てトランジスタ２６３のエミッタから接地面へベース電流が流れる。これに応じて、トランジスタ２６３にコレクタ電流が流れて第一電源回路２１の出力電圧が低下する。その結果、保護回路２５が動作して、第一電源回路２１への電力供給が遮断される。
【００２２】
なお、昇圧回路２２２から機能動作部３０への出力に短絡が生じて電圧が低下した場合には、昇圧回路２２２のコイルとキャパシタの時定数に応じて昇圧回路２２２の入力側の電圧が下がるので、保護回路２５が動作する。
【００２３】
図３は、伝達部２６の他の例を示す図である。
図３（ａ）に示すように、伝達部２６は、図２（ｂ）に示した伝達部２６におけるダイオード２６１の代わりにキャパシタ２６４が並列に設けられている。短絡によりＶｏｕｔが低下すると、これに応じてキャパシタ２６４に降圧回路２１１から大電流が流れ、一時的に降圧回路２１１の出力端の電圧が低下する。これにより保護回路２５が作動して、降圧回路２１１への電力供給が遮断される。
【００２４】
また、図３（ｂ）に示すように、第二電源回路２２であるＬＤＯ２２１がＵＶＬＯ２５１（Under Voltage Lockout：低電圧誤動作防止機能）に係る回路を有している場合、伝達部２６は、ＬＤＯ２２１の入力側（第一電源回路である降圧回路２１１の出力側）に各電源回路と直列に設けられるインピーダンス素子とされてよい。ここでは、インピーダンス素子は、抵抗素子２６５である。
【００２５】
抵抗素子２６５は、ＬＤＯ２２１の入力電圧が、通常のＬＤＯ２２１の出力設定電圧に対して必要な電圧より小さくならないように、すなわち、ＵＶＬＯ２５１の基準電圧以下とならないように十分に小さい抵抗値のものが用いられる。ＬＤＯ２２１の出力側の短絡により、出力電圧Ｖｏｕｔが低下しても、上述のように、当初、降圧回路２１１の出力端側で保護回路２５が作動するほどの電圧低下は起きない。しかし、降圧回路２１１とＬＤＯ２２１との間に抵抗素子２６５を挟むことで、短絡により増加したＬＤＯ２２１の入出力電流により抵抗素子２６５による電圧低下が大きくなり、ＵＶＬＯ２５１への入力電圧が基準電圧以下となる。これにより、ＵＶＬＯ２５１が動作して（起動されて）、ＬＤＯ２２１からの電力の出力が遮断される。
【００２６】
図４は、電力供給回路の変形例を示す図である。
図４（ａ）〜図４（ｃ）に示すように、電力供給回路に含まれる電源回路の数は、２個に限られない。
【００２７】
図４（ａ）に示すように、保護回路２５を有する降圧回路２１１の後段にＬＤＯ２２１、２２３が直列で接続されている場合、最後段のＬＤＯ２２３の出力端と降圧回路２１１の出力端とが伝達部２６で接続されることで、電力供給回路２０ａ、２０ｂの出力異常が保護回路に伝達される。
【００２８】
図４（ｂ）は、伝達部２６の具体例であり、電力供給回路２０ｂにおいて、最後段の電源回路であるＬＤＯ２２３の出力端とともに、ＬＤＯ２２１の出力端が、伝達部、ここではダイオード２６１により降圧回路２１１の出力端と接続されていてもよい。また、ここでは、ＬＤＯ２２３に対しては、伝達部として二個のダイオード２６７、２６８が接続されている。ＬＤＯ２２１、２２３における通常の降下電圧の和よりもダイオード２６７、２６８の個々の動作電圧が低い場合には、複数のダイオード２６７、２６８を直列に配置することで、通常では、動作せず、ＬＤＯ２２３の出力電圧が異常に低下した場合にのみ動作するように定めることができる。動作電圧がＬＤＯ２２１、２２３の通常の降下電圧の和よりも高いダイオード２６７を用いる場合には、複数を直列配置する必要はない。
【００２９】
また、ＬＤＯ２２１の出力端とＬＤＯ２２３の入力端との間にダイオード２６１のカソードを接続することで、ＬＤＯ２２１、２２３の間で短絡などが生じた場合に、ＬＤＯ２２３が動作せずにその出力に異常が伝わらなかったとしても、当該短絡の影響を降圧回路２１１の出力端に伝えて保護回路２５を動作させることができる。
【００３０】
また、図４（ｃ）に示すように、保護回路を有する電源回路（第一の電源回路）は、直列に接続された複数の電源回路のうち最前段のものに限られない。ここでは、三段の電源回路のうち、中間の電源回路である降圧回路２１１が保護回路２５を有し、最前段の電源回路である降圧回路２１２は、完全な保護回路を有しない（通常の過電圧防止回路程度を備えていてもよい）。この場合、最後段のＬＤＯ２２１の出力側における異常は、伝達部２６により降圧回路２１１の保護回路２５に伝達される。降圧回路２１２に異常が生じた場合には、この異常は下流の降圧回路２１１に伝わって保護回路２５を動作させる。
【００３１】
以上のように、本実施形態の電力供給回路２０は、直列に接続された複数の直流電源回路である第一電源回路２１及び第二電源回路２２と、第二電源回路２２の出力側における異常を、この第二電源回路２２よりも上流側に伝えることで、直流電源回路のうちいずれかの保護動作を起動させる伝達部２６と、を備える。これにより、直接保護回路２５を有していない第二電源回路２２の出力側における異常を、保護回路２５を有する第一電源回路２１に伝えて、保護回路２５を起動させることができる。よって、この電力供給回路では、発生した異常に対してより適切に、保護回路２５により保護動作を行わせることができる。
【００３２】
また、保護動作は、複数の直流電源回路のうち一部の第一電源回路２１の出力に基づいて起動され、伝達部２６は、複数の直流電源回路のうち第一電源回路２１よりも後段に位置する第二電源回路２２の出力側における異常を第一電源回路２１に伝える。これにより、後段における異常が前段の直流電源回路に係る保護回路２５に遡及して伝わらずに、不完全な対応状況のまま負荷に出力され続けるのを防ぎ、適切に保護動作を行わせることができる。これにより、発熱の抑制、電力消費の増大、機能動作部３０の異常動作などを適切に防ぐことができる。
【００３３】
また、第一電源回路２１には、複数の直流電源回路のうち最前段のものが含まれる。保護回路２５が最前段の直流電源回路に設けられることで、入力異常を速やかに検出して電力供給回路２０の電力供給動作を速やかに中止させることができる。また、このような電力供給回路２０において、後段の第二電源回路２２の出力側における異常を第一電源回路２１に伝達する伝達部２６を設けることで、より多くの保護回路を有さずとも最小限の構成で効率的に異常に対する保護動作を起動させることができる。
【００３４】
また、第二電源回路２２には、複数の直流電源回路のうち最後段のものが含まれる。保護回路を有しない最後段の第二電源回路２２の出力側における異常を第一電源回路２１に伝えて保護動作を起動させることで、確実かつ迅速に負荷への出力異常を遮断し、電子機器１におけるトラブルの発生を防ぐことができる。
【００３５】
また、伝達部２６は、第二電源回路２２に対して並列に設けられていてよい。これにより、電力供給回路２０における各直流電源回路の並びを維持したまま、容易かつ柔軟に第二電源回路２２の出力側を第一電源回路２１の出力端に接続させることができる。
【００３６】
また、この場合、伝達部２６は、ダイオード２６１であり、当該ダイオード２６１のアノードが第一電源回路２１の出力端に接続され、カソードが第二電源回路２２の出力端に接続されている。これにより、第二電源回路２２の出力側の異常を迅速かつ確実に第一電源回路２１に伝え、保護回路２５を動作させることができる。
【００３７】
あるいは、伝達部２６は、ツェナーダイオード２６２とトランジスタ２６３とで構成され、ツェナーダイオード２６２は、カソードが第二電源回路２２の出力端に接続され、トランジスタ２６３は、ツェナーダイオード２６２のアノード電圧に応じて第一電源回路２１の出力端と接地面との間の電流が制限されるように接続されている。これにより、第二電源回路２２の出力電圧が異常に上昇した場合に、ツェナーダイオード２６２の降伏電圧を超えたか否かに応じてアノード側の電圧に応じたトランジスタ２６３の動作が切り替えられ、すなわち、第一電源回路２１の出力端から接地面への電流の有無が切り替えられることになる。よって、この電力供給回路２０では、異常な昇圧に対しても、保護回路２５を適切に動作させることができる。なお、第一電源回路２１に用いられ得る周知の昇圧回路は、内部にダイオードを含み、このダイオードが上述のダイオード２６１と同様に働く。したがって、この場合には、第二電源回路２２の出力側における短絡に伴う異常に対する伝達部２６を別途設けずとも第一電源回路２１に異常が伝達される。
【００３８】
また、特に、ツェナーダイオード２６２のアノードとトランジスタ２６３のベースとが接続され、トランジスタ２６３のコレクタと第一電源回路２１の出力端とが接続され、トランジスタ２６３のエミッタが接地されていることで、上述のように、容易な構成で昇圧異常を電圧低下に変換して保護回路２５を起動させることができる。
【００３９】
また電力供給回路２０は、直流電源回路に、ＵＶＬＯ２５１を有するＬＤＯ２２１が含まれ、伝達部２６はインピーダンス素子、ここでは、抵抗素子２６５であり、インピーダンス素子は、ＬＤＯ２２１の入力側に複数の直流電源回路と直列に接続され、ＬＤＯ２２１の入出力電流が異常に増大した場合にＬＤＯ２２１への入力電圧を低下させて、ＵＶＬＯ２５１を起動させるものであってもよい。
出力側に異常が生じた直流電源回路がＵＶＬＯ２５１を有するＬＤＯ２２１である場合、前段側の保護回路２５ではなく、ＵＶＬＯ２５１を動作させることで電力供給回路２０の異常動作を停止させることとしてもよい。ＵＶＬＯ２５１は、入力電圧に応じて動作するので、同様に、ＬＤＯ２２１の出力側の異常を入力側に伝達することで、動作させる。電圧低下は、上記の構成のほか、直列に抵抗を設けることで非常に容易に生じさせることができる。このインピーダンス素子は、過大な電流が流れる場合にのみＵＶＬＯ２５１が動作する程度の小さい抵抗値でよいので、非常に小型サイズのものを用いることができ、場所をとらない。
【００４０】
また、上述のインピーダンス素子は、抵抗素子２６５である。これにより、場所をとらずに適切な抵抗値を容易に定めて電力供給回路２０を得ることができる。
【００４１】
また、本実施形態の電子機器１は、上述の電力供給回路２０を備える。よって、電子機器１は、複数の直流電源回路の組み合わせにより効率よく適切な電圧で電力を得ることができ、かつ、電力供給の異常をより適切に検出して保護動作を行うことができる。これにより、電子機器１では、電力供給の異常による機能動作部３０の動作異常、異常な発熱や不要な電力消費をより確実に防ぐことができる。
【００４２】
なお、本発明は、上記実施の形態に限られるものではなく、様々な変更が可能である。
例えば、上記実施の形態では、ＬＤＯにおける小さな電圧低下に対応してダイオードを設ける場合を示したが、ＬＤＯ以外の降圧回路でもよく、当該降圧回路における電圧低下が大きい場合には、例えば、複数のダイオードを直列につなぐなどにより、全体として、通常の電圧低下以上の動作電圧を得てもよい。
【００４３】
また、上記実施の形態では、保護回路２５を有する直流電源回路が一つであるものとして説明したが、複数の直流電源回路のうち一部が有していれば、一つであるものに限られない。
【００４４】
また、上記実施の形態では、最後段は、保護回路２５を有しない直流電源回路であるものとして説明したが、最後段の直流電源回路が保護回路２５を有していてもよい。
【００４５】
また、上記実施の形態では、全ての直流電源回路が直列に接続される場合を説明したが、複数種類の電圧をする電力供給回路などでは、共通の入力と各出力との間で各々直列に直流電源回路が接続されていればよく、すなわち、途中で複数列に分離してもよい。
【００４６】
また、図２（ｃ）に示した実施形態において、昇圧回路２２２の構成により、出力端側の短絡を伝える伝達部は不要であるとして説明したが、昇圧回路２２２に応じて、昇圧異常を伝える伝達部と並列に設けられていてもよい。
【００４７】
また、上記図３（ｂ）に示した変形例において、ＵＶＬＯを有するＬＤＯの入力側にインピーダンス素子として抵抗素子を直列に接続したが、適宜な大きさの抵抗値が得られるものであれば、抵抗素子を用いずとも適宜な材質のものが設けられていてもよい。また、例えば、サーミスタなどを挟んで温度計測の動作と兼用させてもよい。
【００４８】
また、上記実施の形態では、機能動作部３０を動作させる電子機器１が有する電力供給回路を例に挙げて説明したが、単独の電源装置であって、適宜な電子機器が外部接続されるものであってもよい。
その他、上記実施の形態で示した構成や保護回路の起動方法などの具体的な細部は、本発明の趣旨を逸脱しない範囲において適宜変更可能である。
【００４９】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５０】
［付記］
＜請求項１＞
直列に接続された複数の直流電源回路と、
前記直流電源回路のうちいずれかの出力側における異常を、当該出力側で異常が生じている直流電源回路よりも上流側に伝えることで、前記直流電源回路のうちいずれかの保護動作を起動させる起動部と、
を備えることを特徴とする電力供給回路。
＜請求項２＞
前記保護動作は、前記複数の直流電源回路のうち一部の第一の電源回路の出力に基づいて起動され、
前記起動部は、前記第一の電源回路よりも後段に位置する第二の電源回路の出力側における異常を前記第一の電源回路に伝える
ことを特徴とする請求項１記載の電力供給回路。
＜請求項３＞
前記第一の電源回路には、前記複数の直流電源回路のうち最前段のものが含まれることを特徴とする請求項２記載の電力供給回路。
＜請求項４＞
前記第二の電源回路には、前記複数の直流電源回路のうち最後段のものが含まれることを特徴とする請求項２又は３記載の電力供給回路。
＜請求項５＞
前記起動部は、前記第二の電源回路に対して並列に設けられていることを特徴とする請求項２〜４のいずれか一項に記載の電力供給回路。
＜請求項６＞
前記起動部はダイオードであり、当該ダイオードのアノードが前記第一の電源回路の出力端に接続され、カソードが前記第二の電源回路の出力端に接続されていることを特徴とする請求項５記載の電力供給回路。
＜請求項７＞
前記起動部は、ツェナーダイオードとトランジスタとで構成され、
前記ツェナーダイオードは、カソードが前記第二の電源回路の出力端に接続され、
前記トランジスタは、前記ツェナーダイオードのアノード電圧に応じて前記第一の電源回路の出力端と接地面との間の電流が制限されるように接続されている
ことを特徴とする請求項５記載の電力供給回路。
＜請求項８＞
前記ツェナーダイオードのアノードと前記トランジスタのベースとが接続され、
前記トランジスタのコレクタと前記第一の電源回路の出力端とが接続され、
当該トランジスタのエミッタが接地されている
ことを特徴とする請求項７記載の電力供給回路。
＜請求項９＞
前記直流電源回路には、低電圧誤動作防止機能に係る回路を有するＬＤＯが含まれ、
前記起動部はインピーダンス素子であり、
前記インピーダンス素子は、前記ＬＤＯの入力側に前記複数の直流電源回路と直列に接続され、前記ＬＤＯの入出力電流が異常に増大した場合に前記ＬＤＯへの入力電圧を低下させて、前記低電圧誤動作防止機能に係る回路を起動させる
ことを特徴とする請求項１記載の電力供給回路。
＜請求項１０＞
前記インピーダンス素子は、抵抗素子であることを特徴とする請求項９記載の電力供給回路。
＜請求項１１＞
請求項１〜１０のいずれか一項に記載の電力供給回路を備える電子機器。
【符号の説明】
【００５１】
１     電子機器
１０   電力供給アダプタ
２０、２０ａ、２０ｂ 電力供給回路
２１   第一電源回路
２１１、２１２       降圧回路
２２   第二電源回路
２２１、２２３       ＬＤＯ
２２２ 昇圧回路
２５   保護回路
２５１ ＵＶＬＯ
２６   伝達部
２６１、２６７、２６８      ダイオード
２６２ ツェナーダイオード
２６３ トランジスタ
２６４ キャパシタ
２６５ 抵抗素子
３０   機能動作部
Ｖｉｎ 入力電圧
Ｖｏｕｔ      出力電圧
【図１】
2020057185.tif 000003
【図２】
2020057185.tif 000004
【図３】
2020057185.tif 000005
【図４】
2020057185.tif 000006